【手続補正書】
【提出日】平成16年4月28日(2004.4.28)
【手続補正１】
【補正対象書類名】明細書
【補正対象項目名】全文
【補正方法】変更
【補正の内容】
【書類名】              明細書
【発明の名称】          パチンコ機の回転円盤
【特許請求の範囲】
【請求項１】  パチンコ機の遊技盤に対して平行に又は傾斜した状態で回転可能に配設された円盤を備えたパチンコ機において、
前記円盤の外周部に突設された球受片と、
前記球受片に隣接して設けられた保留部とを備え、
前記円盤上を落下するパチンコ球は、前記球受片により受け止められるとともに、前記保留部に保留され、円盤の回転に伴って、保留部から円盤上に放出されることを特徴とするパチンコ機の回転円盤。
【請求項２】  請求項１に記載するパチンコ機の回転円盤において、
前記円盤は連続的に駆動されることを特徴とするパチンコ機の回転円盤。
【請求項３】  請求項１に記載するパチンコ機の回転円盤において、
前記円盤は間欠的に駆動されることを特徴とするパチンコ機の回転円盤。
【請求項４】  請求項１乃至請求項３のいずれか一つに記載するパチンコ機の回転円盤において、
前記円盤の下方に入球口が設けられたことを特徴とするパチンコ機の回転円盤。
【発明の詳細な説明】
【０００１】
【発明の属する技術分野】
本発明は、パチンコ機の遊技盤に取り付けられるものであって、受け止めたパチンコ球を持ち上げて再び落下させることができるパチンコ機の回転円盤に関する。
【０００２】
【従来の技術】
従来、パチンコ機においては、例えば、遊技盤に取り付けられる入賞装置の態様に回転的な動きを与えることによって、遊技者の興趣を高めていた。そのような入賞装置の一つとして、実開平１−５９１７９号公報に、図１３の「パチンコ機の入賞装置」が記載されている。
【０００３】
かかる「パチンコ機の入賞装置」は、第１入賞口３０１と、この第１入賞口３０１の下方に前面を開放して設けられ底部３０２の前部に複数の第２の入賞口３０３、３０４、３０５を有した入賞室３０６と、前記第１入賞口３０１に入ったパチンコ球を入賞室３０６内に導く誘導路３０７と、前記入賞室３０６の底部３０２に前方に向かって下り傾斜するように配設され上面部に複数の障害物３０８を設けた回転盤３０９とを備え、前記誘導路３０７を入賞室３０６の底部後方にまで延長して、該誘導路３０７の下端出口３１０を前記回転盤３０９の傾斜上端近傍に位置せしめ、前記第１入賞口３０１に入ったパチンコ球を誘導路３０７により回転盤３０９の傾斜上端近傍に導き、回転盤３０９上を転動する間に前記障害物３０８により不規則に経路変化させて前記第２の入賞口３０３、３０４、３０５のいずれかに誘導するように構成されたものである。
【０００４】
すなわち、図１３の「パチンコ機の入賞装置」では、複数の障害物３０８を設けた回転盤３０９が回転するので、その態様に回転的な動きを与えることができた。また、回転盤３０９上を落下するパチンコ球は、回転する回転盤３０９上の障害物３０８に衝突するので、その経路を不規則的に変化させることができ、その結果、パチンコ球がいずれの第２の入賞口３０３、３０４、３０５に入賞するかは偶然性に左右されるので、各第２の入賞口３０３、３０４、３０５の入賞に重みをつけることによって、遊技者の興趣を高めることができた。
【０００５】
【発明が解決しようとする課題】
しかしながら、図１３の「パチンコ機の入賞装置」では、回転盤３０９上を落下するパチンコ球がその周縁部にまで到達すると、第２の入賞口３０３、３０４、３０５のうち、その周縁部から真下にあるものにしか入賞できず、かかる観点からみればパチンコ球の流れは単純なものであった。
【０００６】
そこで、本発明は、上述した問題点を解決したものであり、円盤の周縁部にまで到達したパチンコ球を持ち上げて再び円盤上に落下させることによって、円盤の周縁部から落下するパチンコ球の流れに変化を与えることができるパチンコ機の回転円盤を提供することを目的とする。
【０００７】
【課題を解決するための手段】
この目的を達成するために成された請求項１に係るパチンコ機の回転円盤は、パチンコ機の遊技盤に対して平行に又は傾斜した状態で回転可能に配設された円盤を備えたパチンコ機において、前記円盤の外周部に突設された球受片と、前記球受片に隣接して設けられた保留部とを備え、前記円盤上を落下するパチンコ球は、前記球受片により受け止められるとともに、前記保留部に保留され、円盤の回転に伴って、保留部から円盤上に放出されることを特徴とする。
【０００８】
また、請求項２に係るパチンコ機の回転円盤は、請求項１に記載するパチンコ機の回転円盤であって、前記円盤は連続的に駆動されることを特徴とする。
また、請求項３に係るパチンコ機の回転円盤は、請求項１に記載するパチンコ機の回転円盤であって、前記円盤は間欠的に駆動されることを特徴とする。
【０００９】
また、請求項４に係るパチンコ機の回転円盤は、請求項１乃至請求項３のいずれか一つに記載するパチンコ機の回転円盤であって、前記円盤の下方に入球口が設けられたことを特徴とする。
【００１０】
このような構成を有する本発明のパチンコ機の回転円盤は、パチンコ機の遊技盤に対して平行又は垂直状態でかかる遊技盤に取り付けられ、パチンコ機が可動している状態において、円盤を連続的に又は間欠的に回転させている。従って、円盤の外周に突設された球受片も、円盤の回転に伴って円運動を行う。そして、パチンコ機の遊技盤に向けてパチンコ球が発射されると、円盤上を落下するパチンコ球のうち幾個は、円盤上の周縁部から落下するが、残りの幾個は、上述した円運動を行う球受片に衝突する。
【００１１】
特に、球受片の内側に衝突したパチンコ球は、かかる球受片の内側でパチンコ球が受止められる。よって、球受片で受止められたパチンコ球の動きは、落下する状態から球受片と相伴った円運動を行う状態に移り変わる。そして、パチンコ球を受止めた球受片が、円盤の円運動によって傾斜すると、球受片で受止められたパチンコ球は、かかる球受片からこぼれ落ちて、再び円盤上を落下する。
【００１２】
尚、円盤の回転の態様については、一定又は規則的な変化の速度をもって連続的に円盤を回転させたときは、パチンコ機の回転円盤の態様を遊技者に予測させることができる。不規則的な変化の速度をもって連続的に円盤を回転させたときは、パチンコ機の回転円盤の態様に偶然性を与えることができる。
【００１３】
また、一定又は規則的な変化の速度をもって間欠的に円盤を回転させたときは、パチンコ機の回転円盤の態様を遊技者に予測させることができる。不規則的な変化の速度をもって間欠的に回転させたときは、パチンコ機の回転円盤の態様に偶然性を与えることができる。尚、速度の変化は、間欠回数に依存させてもよい。また、円盤が停止する時間を、速度と同様にして変化させてもよい。
【００１４】
また、円盤を正逆両方向に回転させた場合には、規則的に正逆両方向に回転させてもよいし、不規則的に正逆両方向に回転させてもよい。規則的に正逆両方向に回転させたときは、パチンコ機の回転円盤の態様を遊技者に予測させることができるものの、円盤の回転の規則が複雑であれば、その予測に煩雑さを伴わせることができる。不規則的に正逆両方向に回転させたときは、パチンコ機の回転円盤の態様に偶然性を与えることができる。
【００１５】
また、円盤の球受片については、等間隔をもって円盤の外周に突設させてもよいし、不規則的な間隔をもって円盤の外周に突設させてもよい。円盤の回転が規則的である場合には、球受片を等間隔をもって円盤の外周に突設させたときは、パチンコ機の回転円盤の態様を遊技者に予測させることができる。球受片を不規則的に円盤の外周に突設させたときは、パチンコ機の回転円盤の態様を遊技者に予測させることはできるものの、球受片の不規則的な突設状態によって、その予測に煩雑さを伴わせることができる。
【００１６】
一方、円盤の回転が不規則的である場合には、球受片を等間隔をもって円盤の外周に突設させたときでも、球受片を不規則に円盤の外周に突設させたときでも、パチンコ機の回転円盤の態様に偶然性を与えることができるが、特に、後者については、円盤の不規則的な回転と球受片の不規則的な突設状態によって、パチンコ機の回転円盤の態様に偶然性を重ねて与えることができる。
【００１７】
すなわち、本発明のパチンコ機の回転円盤では、円盤の周縁部にまで落下したパチンコ球の一つを球受片で受止め、円盤の回転によって、球受片で受止めたパチンコ球を持ち上げつつ、傾斜した球受片から再び円盤上に落下させて、円盤の周縁部から落下するパチンコ球の流れに変化を与えることができるので、従来技術のものとは異なる面白味をもって、遊技者の興趣を高めることができる。
【００１８】
特に、円盤をパチンコ機の遊技盤に対して傾斜させていれば、円盤上を落下すパチンコ球の動きが緩やかになり、円盤の周縁部にまで落下したパチンコ球が球受片で受止められる機会を増やすことができる。
また、円盤を連続的又は間欠的に駆動させれば、パチンコ機の回転円盤の態様に予測性や偶然性を与えることができる。
【００１９】
また、円盤の下方に入球口が設けられていれば、円盤の球受片に衝突することなく円盤上の周縁部から落下すれば入球口に入ることもないパチンコ球が、円盤の球受片で受止められ、その流れに変化が与えられることによって、入球口に入ることもあり、さらに、入球口に狙ってもパチンコ球を導くことは難しいことから、従来技術のものとは異なる面白味をもって、遊技者の興趣を高めることができる。
【００２０】
【発明の実施の形態】
以下、本発明の第１実施の形態のパチンコ機の回転円盤を図１〜図８を用いて説明する。図１は第１実施の形態のパチンコ機の回転円盤の斜視図である。図２は第１実施の形態のパチンコ機の回転円盤の分解組立図である。図３は第１実施の形態のパチンコ機の回転円盤の正面図である。図４は第１実施の形態のパチンコ機の回転円盤の裏面図である。図５は第１実施の形態のパチンコ機の回転円盤の側面図である。図６は第１実施の形態のパチンコ機の回転円盤の断面図である。図７は第１実施の形態のパチンコ機の回転円盤におけるパチンコ球の経路変化を示した正面図である。図８は第１実施の形態のパチンコ機の回転円盤におけるパチンコ球の経路変化を示した正面図である。
【００２１】
図示はしていないが、第１実施の形態のパチンコ機の回転円盤１Ａは、パチンコ機の遊技盤に対して垂直状態でかかる遊技盤に取り付けられるものである。また、後述する第２実施の形態のパチンコ機の回転円盤１Ｂ（図９参照）、第３実施の形態のパチンコ機の回転円盤１Ｃ（図１０参照）、第４実施の形態のパチンコ機の回転円盤１Ｄ（図１１参照）、第５実施の形態のパチンコ機の回転円盤１Ｅ（図１２参照）も同様にして、パチンコ機の遊技盤に取り付けられるものである。
【００２２】
ここで、第１実施の形態のパチンコ機の回転円盤１Ａの構造について、図２を基に、パチンコ機の回転円盤１Ａの組立手順に従いながら説明する。先ず、円形状の円盤１０の裏側に裏蓋２０を取り付ける。かかる取付は、裏蓋２０の取付穴２２を介してねじ２３で行われる。裏蓋２０を取り付けた円盤１０は、本体３０の円形の凹部３１にはめ合わされる。また、本体３０の裏側には、ベース４０が取付穴４２を介してねじ４３で取り付けられる（図４、図５参照）。さらに、ベース４０には、モータ５０が取付穴５２を介してねじ５３で取り付けられる（図４、図５参照）。
【００２３】
このとき、モータ５０の回転軸５１は、ベース４０の中央口４１と本体３０の中央口３５と裏蓋２０の中央口２１を介して、円盤１０の回転軸１６（図６参照）に挿入されるので、円盤１０をモータ５０により回転させることが可能となる。尚、円盤１０の回転軸１６（図６参照）は、円盤１０の中心において設けられているので、円盤１０の中心は回転中心でもある。
【００２４】
また、円盤１０については、その表面には複数の遊技くぎ１５が設けられている。また、その外周には３つの球受片１１Ａが等間隔に突設されている。各球受片１１Ａは円盤１０の外周面に沿って突設されており、その受止面１２Ａは円盤１０の外周に準じて湾曲している。また、各受止面１２Ａの中央部付近には第２保留部１４Ａが隣接するように円盤１０に設けられている。かかる第２保留部１４Ａは、各受止面１２Ａに対して円盤１０の回転中心側に位置している。さらに、各受止面１２Ａの中央部には溝１３が第２保留部１４Ａの内部にまで設けられている。また、第２保留部１４Ａの内面において、円盤１０の回転中心側については、図３や図６に示すように、円盤１０の表面に向かって回転中心側に傾斜している。
【００２５】
また、本体３０については、その上方に２つのカバー３２が設けられており、本体３０の凹部３１にはめ合わされた円盤１０の上方を覆うことができる（図１参照）。２つのカバー３２の間には、パチンコ球が入球する入口３３が形成されている。尚、かかる入口３３は、図示したように、２つのカバー３２の両端で形成するもののほかに、一つのカバーに穴を設けたものでもよい。また、本体３０の周囲には、パチンコ機の回転円盤１Ａをパチンコ機の遊技盤に取り付けるための取付穴３４が設けられている。
【００２６】
次に、パチンコ機の回転円盤１Ａにおけるパチンコ球の動作について、図７と図８を参照にしながら説明する。パチンコ機の回転円盤１Ａは、パチンコ機が可動している状態においては、モータ５０を制御することにより、円盤１０を連続的に又は間欠的に回転させている。
【００２７】
円盤１０を連続的に回転させた場合には、一定速度をもって連続的に回転させてもよいし、時間とともに変化する速度をもって連続的に回転させてもよい。一定又は規則的な変化の速度をもって連続的に円盤１０を回転させたときは、パチンコ機の回転円盤１Ａの態様を遊技者に予測させることができる。また、不規則的な変化の速度をもって連続的に円盤１０を回転させたときは、パチンコ機の回転円盤１Ａの態様に偶然性を与えることができる。
【００２８】
円盤１０を間欠的に回転させた場合には、一定速度をもって間欠的に回転させてもよいし、時間とともに変化する速度をもって間欠的に回転させてもよい。一定又は規則的な変化の速度をもって間欠的に円盤１０を回転させたときは、パチンコ機の回転円盤１Ａの態様を遊技者に予測させることができる。また、不規則的な変化の速度をもって間欠的に円盤１０を回転させたときは、パチンコ機の回転円盤１Ａの態様に偶然性を与えることができる。尚、速度の変化は、間欠回数に依存させてもよい。また、円盤１０が停止する時間を、速度と同様にして変化させてもよい。
【００２９】
また、円盤１０を正逆両方向に回転させることもできる。この場合には、規則的に正逆両方向に円盤１０を回転させてもよいし、不規則的に正逆両方向に円盤１０を回転させてもよい。規則的に正逆両方向に円盤１０を回転させたときは、パチンコ機の回転円盤１Ａの態様を遊技者に予測させることができるものの、円盤１０の回転の規則が複雑であれば、その予測に煩雑さを伴わせることができる。不規則的に正逆両方向に円盤１０を回転させたときは、パチンコ機の回転円盤１Ａの態様に偶然性を与えることができる。尚、円盤１０が回転する速度や停止する時間については、円盤１０を間欠的に回転させた場合と同様に変化させてもよい。
【００３０】
上述したように円盤１０が回転しているパチンコ機の回転円盤１Ａにおいて、２つのカバー３２の間にある入口３３に落下するパチンコ球が入球すると、かかるパチンコ球の経路は以下に述べる３つに分類することができる。第１の経路は、図７のパチンコ球６３が示すように、円盤１０の遊技くぎ１５と衝突を繰り返して、球受片１１Ａの受止面１２Ａに載上し溝１３に案内されて第２保留部１４Ａに緩嵌される経路である。第２の経路は、図７のパチンコ球６１、６２が示すように、円盤１０の遊技くぎ１５や球受片１１Ａの受止面１２Ａの裏面などに衝突して、カバー３２と球受片１１Ａの間を通る経路である。第３の経路は、図８のパチンコ球６４が示すように、円盤１０の遊技くぎ１５や球受片１１Ａと衝突を繰り返して、２つの球受片１１Ａの間を通る経路である。
【００３１】
特に、第１の経路のパチンコ球６３については、かかるパチンコ球６３を緩嵌した第２保留部１４Ａが円盤１０の回転に伴って円運動するに従い、パチンコ球６３の落下方面の反対の方面にあたる図８の下から上への方面に向かわせることができる。そして、パチンコ球６３を緩嵌した第２保留部１４Ａがパチンコ機の回転円盤１Ａの上方付近を移動する際において、図８に示すように、第２保留部１４Ａからパチンコ球６３がこぼれ落ちて再び落下する。再び落下したパチンコ球６３は、円盤１０の遊技くぎ１５や球受片１１Ａと衝突を再び繰り返して、別の２つの球受片１１Ａの間を通ったり、別の球受片１１Ａの受止面１２Ａに再び載上して第２保留部１４Ａに緩嵌される。
【００３２】
以上より、第１実施の形態のパチンコ機の回転円盤１Ａは、図示しないパチンコ機の遊技盤上に取り付けられ、パチンコ機が可動している状態において、円盤１０を連続的に又は間欠的に回転させている。従って、円盤１０の外周に突設された球受片１１Ａも、円盤１０の回転に伴って円運動を行っている。そして、パチンコ機の遊技盤に向けてパチンコ球が発射されると、落下するパチンコ球のうち幾個が、上述した円運動を行う球受片１１Ａに衝突する。特に、図７に示すように、パチンコ球６３の落下方面と向き合った状態にあるときの球受片１１Ａの受止面１２Ａにパチンコ球６３が衝突すると、かかる球受片１１Ａの受止面１２Ａにおいてパチンコ球６３が受止められる。よって、球受片１１Ａの受止面１２Ａで受止められたパチンコ球６３の動きは、落下する状態から球受片１１Ａと相伴った円運動を行う状態に移り変わる。
【００３３】
同時に、パチンコ球６３を受止めた球受片１１Ａの受止面１２Ａも、球受片１１Ａが上述した円運動を行うことよって、パチンコ球６３の落下方面と向き合った状態（図７参照）からパチンコ球６３の落下方面に対して傾斜する状態へと移り変わる（図８参照）。このように球受片１１Ａの受止面１２Ａがパチンコ球６３の落下方面に対して傾斜すると、球受片１１Ａの受止面１２Ａで受止められたパチンコ球６３は、かかる球受片１１Ａの受止面１２Ａからこぼれ落ちて、再び落下する状態となる（図８参照）。球受片１１Ａの受止面１２Ａからパチンコ球６３がこぼれ落ちる動作は、かかる球受片１１Ａが円運動する際において、パチンコ球６３の落下方面の反対の方面に移動している最中に行われる。
【００３４】
また、円盤１０に第２保留部１４Ａが設けられており、落下するパチンコ球を球受片１１Ａの受止面１２Ａで受止めた場合において、かかる受止面１２Ａと隣接する第２保留部１４Ａにパチンコ球が緩嵌されるので、落下するパチンコ球を球受片１１Ａの受止面１２Ａを介して第２保留部１４Ａで確実に受止めることができる。また、第２保留部１４Ａにパチンコ球が緩嵌されることは、かかる第２保留部１４Ａに隣接する受止面１２Ａがパチンコ球の落下方面に対して傾斜したときに、第２保留部１４Ａからパチンコ球がこぼれ落ちやすくなる。また、球受片１１Ａの受止面１２Ａに溝１３が設けられているので、球受片１１Ａの受止面１２Ａで受止められたパチンコ球を第２保留部１４Ａにスムーズに緩嵌させることができる。
【００３５】
また、円盤１０に設けられた第２保留部１４Ａが円盤１０の回転中心側に位置するので、落下するパチンコ球がパチンコ機の回転円盤１Ａの下方を移動し又は停止している球受片１１Ａの受止面１２Ａに載上することによって受止められる。また、球受片１１Ａの受止面１２Ａは円盤１０の外周に準じて湾曲しているので、受止められたパチンコ球は受止面１２Ａ上を振り子のように往復するが、円盤１０に設けられた第２保留部１４Ａが球受片１１Ａの受止面１２Ａの中央部に隣接しているので、パチンコ球が受止面１２Ａ上を往復する範囲内に第２保留部１４Ａが位置することができ、球受片１１Ａの受止面１２Ａで受止められたパチンコ球を第２保留部１４Ａに確実に緩嵌させることができる。
【００３６】
また、円盤１０に設けられた第２保留部１４Ａの内面については、円盤１０の回転中心側にある内面が、円盤１０の表面に向かって円盤１０の回転中心側へ傾斜しているので、パチンコ球を緩嵌した第２保留部１４Ａがパチンコ機の回転円盤１Ａの上方付近を移動する際において、かかる第２保留部１４Ａからパチンコ球が確実にこぼれ落ち（図８参照）、パチンコ球を再び落下させることができる。
【００３７】
また、円盤１０の球受片１１Ａについては、等間隔をもって円盤１０の外周に突設させているので、円盤１０の回転が規則的である場合には、パチンコ機の回転円盤１Ａの態様を遊技者に予測させることができる。一方、円盤１０の回転が不規則的である場合には、パチンコ機の回転円盤１Ａの態様に偶然性を与えることができる。
【００３８】
また、円盤１０に遊技くぎ１５が設けられているので、落下するパチンコ球が遊技くぎ１５にぶつかって転動するので、パチンコ球が円盤１０上を通過する時間を長くすることができる。さらに、円盤１０の回転に伴い遊技くぎ１５も円運動するので、パチンコ機の回転円盤１Ａの態様や円盤１０上におけるパチンコ球の転動に変化を与えることができる。
また、円盤１０より上方にカバー３２を設けているので、落下するパチンコ球が円盤１０上を通過できるものは、かかるカバー３２の入口３３に入球したものに限ることができる。
【００３９】
また、パチンコ機の回転円盤１Ａのように、円盤１０が対称的なものである場合において、円盤１０を一定の速度をもって回転させると、第２保留部１４Ａが特定の位置に到達するときにパチンコ球６３がこぼれ落ちるので、第２保留部１４Ａからこぼれ落ちるパチンコ球６３の経路は、衝突する遊技くぎ１５の角度に影響されるものの、ほぼ一定の流れとなる。よって、その経路付近において、図８に示すように、入球口８０、８１を遊技盤上に取り付ければ、第２保留部１４Ａに緩嵌されたパチンコ球は、高い確率をもって入球口８０に入賞することができる。尚、入球口８０、８１は、入賞口やゲートなどである。
【００４０】
次に、本発明の第２実施の形態のパチンコ機の回転円盤を図９を用いて説明する。図９は第２実施の形態のパチンコ機の回転円盤の斜視図である。第２実施の形態のパチンコ機の回転円盤１Ｂは、第１実施の形態のパチンコ機の回転円盤１Ａと比べ、球受片１１Ｂの受止面１２Ｂに第１保留部１４Ｂが設けられている点が異なる。このようにして、球受片１１Ｂの受止面１２Ｂに第１保留部１４Ｂが設けられている場合でも、落下するパチンコ球を球受片１１Ｂの受止面１２Ｂで受止めたときは、かかる受止面１２Ｂの第１保留部１４Ｂにパチンコ球が緩嵌されるので、落下するパチンコ球を球受片１１Ｂの受止面１２Ｂで確実に受止めることができる。また、第１保留部１４Ｂにパチンコ球が緩嵌されることは、かかる球受片１１Ｂの受止面１２Ｂがパチンコ球の落下方面に対して傾斜したときに、第１保留部１４Ｂからパチンコ球がこぼれ落ちやすくなる。
【００４１】
次に、本発明の第３実施の形態のパチンコ機の回転円盤を図１０を用いて説明する。図１０は第３実施の形態のパチンコ機の回転円盤の斜視図である。第３実施の形態のパチンコ機の回転円盤１Ｃは、第１実施の形態のパチンコ機の回転円盤１Ａと比べ、円盤１０の球受片１１Ｃが不規則的な間隔をもって円盤１０の外周付近に突設させた点が異なる。尚、円盤１０の球受片１１Ｃは、不規則的な間隔をもって円盤１０の外周から延長したように突設させてもよい。
【００４２】
このようにして、円盤１０の球受片１１Ｃを不規則的な間隔をもって円盤１０の外周付近に突設させた場合において、円盤１０の回転が規則的であるときは、パチンコ機の回転円盤１Ｃの態様を遊技者に予測させることはできるものの、球受片１１Ｃの不規則的な突設状態によって、その予測に煩雑さを伴わせることができる。一方、円盤１０の回転が不規則的であるときは、パチンコ機の回転円盤の態様に偶然性を与えることができるが、特に、円盤１０の不規則的な回転と球受片１１Ｃの不規則的な突設状態によって、パチンコ機の回転円盤１Ｃの態様に偶然性を重ねて与えることができる。
【００４３】
次に、本発明の第４実施の形態のパチンコ機の回転円盤を図１１を用いて説明する。図１１は第４実施の形態のパチンコ機の回転円盤の斜視図である。第４実施の形態のパチンコ機の回転円盤１Ｄは、第１実施の形態のパチンコ機の回転円盤１Ａと比べ、球受片１１Ｄの受止面１２ＤがＶ字形状である点が異なる。このようにして、球受片１１Ｄの受止面１２ＤがＶ字形状であることは、落下するパチンコ球を球受片１１Ｄの受止面１２Ｄで確実に受止めることができる。尚、Ｖ字形状は、パチンコ球が受止められる受止面１２Ｄの断面に対するものであって、球受片１１Ｄの断面に対するものではない。また、球受片１１Ｄの受止面１２ＤはＵ字形状であってもよい。
【００４４】
次に、本発明の第５実施の形態のパチンコ機の回転円盤を図１２を用いて説明する。図１２は第５実施の形態のパチンコ機の回転円盤の斜視図である。第５実施の形態のパチンコ機の回転円盤１Ｅは、第１実施の形態のパチンコ機の回転円盤１Ａと比べ、円盤１０に設けられた第２保留部１４Ｅが球受片１１Ｅの受止面１２Ｅの端部に偏って隣接している点が異なる。一般に、円盤１０の回転が比較的速いと、受止められたパチンコ球が受止面１２Ｅ上を往復する範囲は円盤１０の回転方向とは反対方向にある球受片１１Ｅの受止面１２Ｅの端部側に偏ってしまう。
【００４５】
従って、図１２に示すように、円盤１０に設けられた第２保留部１４Ｅが球受片１１Ｅの受止面１２Ｅの端部に偏って隣接している場合には、円盤１０が時計回りに回転してれば、球受片１１Ｅの受止面１２Ｅに対するパチンコ球の往復範囲の偏りと第２保留部１４Ｅの偏りが一致するので、球受片１１Ｅの受止面１２Ｅで受止められたパチンコ球を第２保留部１４Ｅに確実に緩嵌させることができる。一方、円盤１０が反時計回りに回転していれば、球受片１１Ｅの受止面１２Ｅに対するパチンコ球の往復範囲の偏りと第２保留部１４Ｅの偏りが一致しないので、球受片１１Ｅの受止面１２Ｅで受止められたパチンコ球が第２保留部１４Ｅに緩嵌されるか又は第２保留部１４Ｅに緩嵌されずにかかる受止面１２Ｅからすぐにこぼれ落ちるかのいずれかとなる。
【００４６】
以上、詳細に説明した通り、第１〜第５の実施の形態のパチンコ機の回転円盤１Ａ、１Ｂ、１Ｃ、１Ｄ、１Ｅでは、パチンコ機の遊技盤上に垂直状態で遊技盤上に取り付けられ、パチンコ機が可動している状態において、円盤１０を連続的に又は間欠的に回転させている。従って、円盤１０の外周に突設された球受片１１Ａ、１１Ｂ、１１Ｃ、１１Ｄ、１１Ｅも、円盤１０の回転に伴って円運動を行う。そして、パチンコ機の遊技盤に向けてパチンコ球が発射されると、円盤１０上を落下するパチンコ球のうち幾個は、円盤１０上の周縁部から落下するが、残りの幾個は、上述した円運動を行う球受片１１Ａ、１１Ｂ、１１Ｃ、１１Ｄ、１１Ｅに衝突する。
【００４７】
特に、球受片１１Ａ、１１Ｂ、１１Ｃ、１１Ｄ、１１Ｅの内側に衝突したパチンコ球は、かかる球受片の内側でパチンコ球が受止められる。よって、球受片１１Ａ、１１Ｂ、１１Ｃ、１１Ｄ、１１Ｅで受止められたパチンコ球の動きは、落下する状態から球受片１１Ａ、１１Ｂ、１１Ｃ、１１Ｄ、１１Ｅと相伴った円運動を行う状態に移り変わる。そして、パチンコ球を受止めた球受片１１Ａ、１１Ｂ、１１Ｃ、１１Ｄ、１１Ｅが、円盤１０の円運動によって傾斜すると、球受片１１Ａ、１１Ｂ、１１Ｃ、１１Ｄ、１１Ｅで受止められたパチンコ球は、かかる球受片１１Ａ、１１Ｂ、１１Ｃ、１１Ｄ、１１Ｅからこぼれ落ちて、再び円盤１０上を落下する。
【００４８】
すなわち、本実施の形態のパチンコ機の回転円盤１Ａ、１Ｂ、１Ｃ、１Ｄ、１Ｅでは、円盤１０の周縁部にまで落下したパチンコ球の一つを球受片１１Ａ、１１Ｂ、１１Ｃ、１１Ｄ、１１Ｅで受止め、円盤１０の回転によって、球受片１１Ａ、１１Ｂ、１１Ｃ、１１Ｄ、１１Ｅで受止めたパチンコ球を持ち上げつつ、傾斜した球受片１１Ａ、１１Ｂ、１１Ｃ、１１Ｄ、１１Ｅから再び円盤１０上に落下させて、円盤１０の周縁部から落下するパチンコ球の流れに変化を与えることができるので、従来技術のものとは異なる面白味をもって、遊技者の興趣を高めることができる。
【００４９】
さらに、ここで、円盤１０をパチンコ機の遊技盤に対して傾斜させれば、円盤１０上を落下すパチンコ球の動きが緩やかになり、円盤１０の周縁部にまで落下したパチンコ球が球受片１１Ａ、１１Ｂ、１１Ｃ、１１Ｄ、１１Ｅで受止められる機会を増やすことができる。
また、円盤１０を連続的又は間欠的に駆動させれば、パチンコ機の回転円盤の態様に予測性や偶然性を与えることができる。
【００５０】
また、円盤１０の下方に入球口８０、８１が設けられているので、円盤１０の球受片１１Ａ、１１Ｂ、１１Ｃ、１１Ｄ、１１Ｅに衝突することなく円盤１０上の周縁部から落下すれば入球口８０、８１に入ることもないパチンコ球が、円盤１０の球受片１１Ａ、１１Ｂ、１１Ｃ、１１Ｄ、１１Ｅで受止められ、その流れに変化が与えられることによって、入球口８０、８１に入ることもあり、さらに、入球口８０、８１に狙ってもパチンコ球を導くことは難しいことから、従来技術のものとは異なる面白味をもって、遊技者の興趣を高めることができる。
【００５１】
尚、本発明は上記実施の形態に限定されるものでなく、その趣旨を逸脱しない範囲で様々な変更が可能である。
例えば、第１保留部１４Ｂ及び第２保留部１４Ａ、１４Ｃ、１４Ｅは、一つのパチンコ球を緩嵌できるものでもよいが、その全部又は一部が複数のパチンコ球を緩嵌できるものでもよい。また、その一部が入賞口であってもよい。
【００５２】
また、第１〜第５の実施の形態のパチンコ機の回転円盤１Ａ、１Ｂ、１Ｃ、１Ｄ、１Ｅは、パチンコ機の遊技盤上に取り付けられる場合においては、円盤１０の表面とパチンコ機の遊技盤の表面とがほぼ同一の平面を構成するように取り付けられるが、図１３の回転盤３０９のように、円盤１０の下方がパチンコ機の遊技盤の表面に寄るようにして、円盤１０の表面をパチンコ球の落下方面に対して傾斜させ、パチンコ機の遊技盤内に取り付けられることもできる。このとき、円盤１０の一部がパチンコ機の遊技盤から突出してもよい。
【００５３】
また、第１〜第５の実施の形態のパチンコ機の回転円盤１Ａ、１Ｂ、１Ｃ、１Ｄ、１Ｅにおいては、円盤１０上には障害物として遊技くぎ１５が設けられているが、例えば、図１３の回転盤３０９のように、その他の障害物が円盤１０上に設けられてもよい。
【００５４】
【発明の効果】
本発明のパチンコ機の回転円盤では、円盤の周縁部にまで落下したパチンコ球の一つを球受片で受止め、円盤の回転によって、球受片で受止めたパチンコ球を持ち上げつつ、傾斜した球受片から再び円盤上に落下させて、円盤の周縁部から落下するパチンコ球の流れに変化を与えることができるので、従来技術のものとは異なる面白味をもって、遊技者の興趣を高めることができる。
【００５５】
特に、円盤をパチンコ機の遊技盤に対して傾斜させれば、円盤上を落下するパチンコ球の動きが緩やかになり、円盤の周縁部にまで落下したパチンコ球が球受片で受止められる機会を増やすことができる。
また、円盤を連続的又は間欠的に駆動させれば、パチンコ機の回転円盤の態様に予測性や偶然性を与えることができる。
【００５６】
また、円盤の下方に入球口が設けられていれば、円盤の球受片に衝突することなく円盤上の周縁部から落下すれば入球口に入ることもないパチンコ球が、円盤の球受片で受止められ、その流れに変化が与えられることによって、入球口に入ることもあり、さらに、入球口に狙ってもパチンコ球を導くことは難しいことから、従来技術のものとは異なる面白味をもって、遊技者の興趣を高めることができる。
【図面の簡単な説明】
【図１】
第１実施の形態のパチンコ機の回転円盤の斜視図である。
【図２】
第１実施の形態のパチンコ機の回転円盤の分解組立図である。
【図３】
第１実施の形態のパチンコ機の回転円盤の正面図である。
【図４】
第１実施の形態のパチンコ機の回転円盤の裏面図である。
【図５】
第１実施の形態のパチンコ機の回転円盤の側面図である。
【図６】
第１実施の形態のパチンコ機の回転円盤の断面図である。
【図７】
第１実施の形態のパチンコ機の回転円盤におけるパチンコ球の経路変化を示した正面図である。
【図８】
第１実施の形態のパチンコ機の回転円盤におけるパチンコ球の経路変化を示した正面図である。
【図９】
第２実施の形態のパチンコ機の回転円盤の斜視図である。
【図１０】
第３実施の形態のパチンコ機の回転円盤の正面図である。
【図１１】
第４実施の形態のパチンコ機の回転円盤の正面図である。
【図１２】
第５実施の形態のパチンコ機の回転円盤の正面図である。
【図１３】
従来技術のパチンコ機の回転円盤の正面図である。
【符号の説明】
１Ａ、１Ｂ、１Ｃ、１Ｄ、１Ｅ  パチンコ機の回転円盤
１０  円盤
１１Ａ、１１Ｂ、１１Ｃ、１１Ｄ、１１Ｅ  球受片
６０、６１、６２、６３、６４  パチンコ球
８０、８１  入球口